(57)【要約】【課題】簡易な構成で、室外機での熱交換効率の向上を図ることができる空調室外機用遮熱体およびこれを備える空気調和装置を提供する。【解決手段】遮熱体４０は、  空調室外機２０に対して、その側面に設けられた吸気口２０ａに沿って付装される。そして、遮熱体４０は、給水配管４１と給水配管４２とが枠状に連結されており、各給水配管４２の下部に、遮熱シート４５が配されている。遮熱シート４５は、例えば、不織布を用い形成されており、遮熱性とともに遮光性も有する。給水配管４１の下部には、ドレン水を一旦溜めておくタンク４３に接続されており、ドレン水は、タンク４３からポンプ４４を通り、給水配管４１，４２を介して遮熱シート４５に供給される。【選択図】図２
2011252644.tif 000002
【特許請求の範囲】
【請求項１】
空調室外機に対して付装される空調室外機用遮熱体であって、
前記空調室外機の側面に設けられた吸気口に対向した状態で張設され、吸水性を有する遮熱手段と、
前記遮熱手段に対して水分を供給する水分供給手段と、
を備えることを特徴とする空調室外機用遮熱体。
【請求項２】
前記遮熱手段は、遮光性も備える
ことを特徴とする請求項１に記載の空調室外機用遮熱体。
【請求項３】
前記遮熱手段は、不織布を用い形成されたシート部材を備え、
前記水分供給手段は、水分の供給源から前記シート部材の鉛直方向上部にまで配された配管を有し、
前記配管には、前記シート部材との隣接箇所に１または複数の孔が開けられている
ことを特徴とする請求項１または請求項２に記載の空調室外機用遮熱体。
【請求項４】
前記水分供給手段は、前記空調室内機からのドレン水を受け入れるタンクを有し、
前記配管には、前記タンクから、前記水分としてのドレン水が供給される
ことを特徴とする請求項３に記載の空調室外機用遮熱体。
【請求項５】
前記遮熱手段は、前記シート部材を複数備え、
前記複数のシート部材は、前記空調室外機の吸気口に対し、その鉛直上下方向に、互いに間隔をあけた状態で配されており、
前記配管は、前記複数のシート部材の各々に対応して配されている
ことを特徴とする請求項３または４に記載の空調室外機用遮熱体。
【請求項６】
冷媒の循環経路中に、室外機と室内機とが挿設されてなる空気調和装置において、
前記室外機における吸気口に対し、請求項１から５の何れかの空調室外機用遮熱体が付装されている
ことを特徴とする空気調和装置。
【発明の詳細な説明】
【技術分野】
【０００１】
本発明は、空調室外機用遮熱体および空気調和装置に関する。
【背景技術】
【０００２】
従来から、空気調和装置における室外機は、屋外に設置されており、直射日光を遮り、これにより室外機周辺の温度を低減する遮熱体（遮光版）が取り付けられていることが多い。例えば、従来における遮熱体は、板状の部材などを用い形成されており、室外機の天面や側面に取り付けられている（特許文献１、２など）。  
室外機に遮熱体を取り付け、室外機に直射日光が当たらないようにすれば、室外機およびその近傍の気温の低減を図ることができ、室外機におけるコンデンサでの熱交換効率の向上を図ることができる。
【先行技術文献】
【特許文献】
【０００３】
【特許文献１】特開平１１−１５９８０９号公報
【特許文献２】特開２００６−１４５０９１号公報
【発明の概要】
【発明が解決しようとする課題】
【０００４】
しかしながら、上記特許文献１，２で提案されている遮熱体では、直射日光を遮ることにより室外機およびその周辺の気温の低下を図ろうとしているのみであって、地球温暖化および都市の過密化などにより、気温が年々上昇しており、このような状態を考慮するとき、より能動的に室外機での熱交換効率の向上を図ることが要望されている。室外機におけるコンデンサでの熱交換効率の向上は、空気調和装置におけるコンプレッサの負荷の低減にも繋がり、省エネルギという観点からも要望される事項である。
【０００５】
本発明は、上記課題の解決を図るべくなされたものであって、簡易な構成で、室外機におけるコンデンサでの熱交換効率の向上を図ることができる空調室外機用遮熱体およびこれを備える空気調和装置を提供することを目的とする。
【課題を解決するための手段】
【０００６】
上記目的を達成するために、本発明は、次の構成を採用することを特徴とする。
本発明に係る空調室外機用遮熱体は、  空調室外機に対して付装される。そして、本発明に係る空調室外機用遮熱体は、空調室外機の側面に設けられた吸気口に対向した状態で張設され、吸水性を有する遮熱手段と、遮熱手段に対して水分を供給する水分供給手段とを備えることを特徴とする。
【０００７】
また、本発明に係る空気調和装置は、冷媒の循環経路中に、室外機と室内機とが挿設された構成を有し、さらに、室外機における吸気口に対し付装された遮熱体を備える。そして、本発明に係る空気調和装置では、上記本発明に係る空調室外機用遮熱体を適用することを特徴とする。
【発明の効果】
【０００８】
上記のように、本発明に係る空調室外機用遮熱体では、吸水性を備える遮熱手段と、この遮熱手段に対して水分供給を行う水分供給手段とを有する。このため、遮熱手段には、少なくとも空気調和装置の運転時に水分が供給され、供給された水分は、遮熱手段に一時的に保水されることになる。
なお、上記における「吸水性」は、一定時間だけ吸水および保水するのであって、表面から水分は気化することを意味する。
【０００９】
また、本発明に係る空調室外機用遮熱体は、空気調和装置における吸気口に付装されるものであるので、遮熱手段により保水された水分が気化することにより、打ち水の原理により、吸気口への空気の温度が低減される。さらに、本発明に係る空調室外機用遮熱体を用いる場合には、空調室外機に対して水分が直接触れることがないので、空調室外機が水分により錆びることがない。
【００１０】
以上のように、本発明に係る空調室外機用遮熱体を用いれば、直射日光を遮ることによる室外機の温度低減と、遮熱手段への水分供給による空気の温度低減との相乗的な作用により、室外機のコンデンサにおける熱交換効率の向上を図ることができる。
また、本発明に係る空調室外機用遮熱体は、遮熱手段に給水を行うという簡易な構成である。
【００１１】
従って、本発明に係る空調室外機用遮熱体は、簡易な構成で、これを室外機に取り付けることにより、室外機におけるコンデンサでの熱交換効率の向上を図ることができる。
本発明に係る空気調和装置は、上記空調室外機用遮熱体を備えるので、上記同様に理由から、室外機におけるコンデンサでの熱交換効率の向上を図ることができる。
【図面の簡単な説明】
【００１２】
【図１】実施の形態に係る空気調和装置１の構成を模式的に示すブロック図である。
【図２】実施の形態に係る遮熱体４０の構成を模式的に示す斜視図（一部、断面図）である。
【図３】変形例に係る遮熱体１４０の構成を模式的に示す斜視図である。
【発明を実施するための形態】
【００１３】
以下では、本発明を実施するための最良の形態について、図面に沿って説明する。なお、以下で説明する実施の形態については、本発明の構成上の特徴および当該構成から奏される作用効果を分かりやすく説明するために一例として用いるものであって、本発明は、その本質的な技術的特徴部分を除き、以下の内容に何ら限定を受けるものではない。
［実施の形態］
１．空気調和装置１の構成
本実施の形態に係る空気調和装置１の構成について、図１を用い説明する。
【００１４】
図１に示すように、本実施の形態に係る空気調和装置１は、室内に設けられた室内機１０と、室内機１０に対して配管３１，３２で接続された室外機２０とを有している。また、本実施の形態に係る空気調和装置１では、室外機２０の吸気口側に付装された遮熱体４０も有する。遮熱体４０には、室内機１０に対して配管３３で接続されている。
室内機１０は、蒸発器１１とのその下部に取り付けられたドレンパン１１ａ、さらには、蒸発器１１のフィン（不図示）に室内の空気を取り込むための室内ファン１２を有し構成されている。遮熱体４０に対する配管３３は、ドレンパン１１ａに接続されている。ここで、配管３１，３２内は、冷媒が流れ、配管３３には、ドレンパン１１ａからのドレン水が流れる。
【００１５】
室外機２０は、コンプレッサ２１とこれに接続されたコンデンサ２２と、さらに、コンデンサ２２に対して空気を循環させる室外ファン２３とを備える。
遮熱体４０は、室外機２０に対して、その吸気口側であって、且つ、太陽光を遮る位置に配置され、これにより、遮光体としての機能も有する。室外ファン２３によりコンデンサ２２へと送られる空気は、遮熱体４０を通過したものである。
【００１６】
空気調和装置１では、室内の暖かい空気が蒸発器１１のフィンの間を通過することにより冷やされる。蒸発器１１のフィンは、蒸発器１１内で冷媒が蒸発して周りから熱を奪い、これによりフィンが冷やされる。
配管３１を通り室外機２０に送られた冷媒は、コンプレッサ２１で圧縮され、これにより気体から液体へと変化する。そして、気体から液体へと変化する際に発生する熱が、コンデンサ２２のフィンから空気中に放熱されることによって冷却され、冷却された冷媒が、配管３２を通り室内機１０の蒸発器１１へと戻される。
【００１７】
２．遮熱体４０の構成
遮熱体４０の構成について、図２を用い説明する。
図２に示すように、遮熱体４０は、室外機２０の吸気口２０ａ側に沿った状態で配されている。そして、上記のように、遮熱体４０および室外機２０の配置は、遮熱体４０により室外機２０への太陽光が遮られる状態になされており、上記のように遮光機能も有する。
【００１８】
図２に示すように、遮熱体４０は、互いに間隔をあけてＺ軸方向に延設された２本の給水配管４１と、２本の給水配管３１の間を掛け渡すように設けられた５本の給水配管４２とを有する。５本の給水配管４２は、Ｚ軸方向において、互いの間に間隔をあけ、各々の間に遮熱シート４５が配されている。遮熱シート４５は、例えば、不織布から構成されている。
遮熱体４０においては、２本の給水配管４１の下部にドレン水を一旦溜めておくためのタンク４３が設けられており、一方の給水配管４１とタンク４３との間には、ドレン水を給水配管４１の上部に汲み上げるためのポンプ４４が介挿されている。
【００１９】
図２における下部の二点鎖線で囲む部分に示すように、配管３３から送られてきたドレン水は、タンク４３の内部空間４３ａに一旦溜められ、ポンプ４４により給水配管４１へと送られる。
図２における上部の二点鎖線で囲む部分に示すように、ポンプ４４により汲み上げられたドレン水は、給水配管４２の管内から、給水配管４２の下側にあけられた孔４２ｂから遮熱シート４５へと滲むように漏れ出す。ドレン水は、遮熱シート４５を伝って下側へと流れる途中で、遮熱シート４５の表面から気化することになる。この気化の際に周辺の熱を奪い（打ち水の原理）、室外機２０の吸気口２０ａ近傍の環境温度を低下させることができる。そして、室外機２０のコンデンサ２２には、ドレン水の気化によって冷却された空気が送り込まれることになるため、高い熱交換効率を実現できる。
【００２０】
なお、本実施の形態では、遮熱シート４５を不織布から構成することとしたが、これ以外にも空気を透過することができ、ドレン水が滴ることができるものであれば用いることができる。例えば、メッシュ時のシートなどを用いることもできる。
また、給水配管４１および給水配管４２の数については、図２に示す形態よりも少なくてもよいし、多くてもよい。
【００２１】
［変形例］
変形例に係る遮熱体１４０の構成について、図３を用い説明する。図３では、遮熱体１４０および室外機２０だけを図示しているが、空気調和装置の他の構成については、上記実施の形態と同様である。
図３に示すように、本変形例に係る遮熱体１４０は、室外機２０の外周を囲む状態に設けられたフレーム１４７と、室外機２０の吸気口２０ａ側に配された２本の給水配管１４１と、２本の給水配管１４１の間に掛け渡すように設けられた５本の給水配管１４２、さらには、各給水配管１４２に対応して、その下側に設けられた遮熱シート１４５と給水配管１４１に供給するドレン水を一旦溜めておくタンク１４３とを有し構成されている。タンク１４３は、フレーム１４７により支持された天板１４６上に載置されている。
【００２２】
図３に示すように、遮熱体１４０におけるタンク１４３は、室外機２０よりもＺ軸方向上部に配されており、タンク１４３に一旦溜められたドレン水は、自重落下により、給水配管１４１および給水配管１４２へと供給され、遮熱シート１４５から気化する。
本変形例に係る遮熱シート１４０では、タンク１４３を室外機２０の上部に配置することにより、上記実施の形態に係る遮熱体４０のようにドレン水を汲み上げるためのポンプ４４を必要とせず、部品コストおよびランニングコストなどの観点から更に優れている。
【００２３】
なお、本変形例に係る遮熱体１４０を用いる場合においても、室外機２０へ供給される空気は、遮熱体１４０の遮熱シート１４５でのドレン水の気化により温度が低下した状態となっているので、空気調和装置における高い熱交換効率を実現するのに有効である。
［その他の事項］
上記実施の形態および変形例は、本発明の構成の一例を表すものであって、本発明は、その本質的部分を除き、適宜の変更が可能である。
【００２４】
例えば、上記実施の形態および変形例では、遮熱体４０，１４０の給水配管４１，４２，１４１，１４２について剛性のある配管を想定しているが、必ずしも剛性のある配管を用いる必要はなく、フレキシブル性を備えた配管（チューブ）を用いることもできる。
また、上記実施の形態および変形例では、遮熱体４０，１４０における遮熱シート４５，１４５を一層構造としているが、互いの間に間隔をあけた二重構造とすることや、それ以上の多層構造とすることもできる。これにより、遮熱性による環境温度の低減性能をさらに向上させることが可能となる。
【００２５】
また、図１における配管３２の経路中において、冷房時における冷媒の流れでのコンデンサ２２の下流側に冷媒を圧縮する冷媒圧縮部を設けることで、さらに高い熱交換効率を実現できるが、その際には、コンデンサ２２と冷媒圧縮部との間に遮熱体４０，１４０を設けることができる。これにより、さらに高い熱交換効率を実現することができる。
さらに、上記実施の形態および変形例では、室外機からのドレン水を遮熱体４０，１４０に供給することとしたが、本発明は、必ずしもこれに限定されない。例えば、水道水を遮熱体のタンクに供給する構成とすることもできるし、あるいは、仕様の際に水を入れた容器を取り付けることとすることもできる。家庭での仕様を想定する場合には、ペットボトルやポリタンク、あるいはポリバケツなどを使うこともできるようにすることも好ましい。
【産業上の利用可能性】
【００２６】
本発明は、温暖化対策として効果を奏する空調室外機用遮熱体および空気調和装置を実現するのに有用である。
【符号の説明】
【００２７】
１．空気調和装置
１０．室内機
１１．蒸発器
１２．室内ファン
２０．室外機
２１．コンプレッサ
２２．コンデンサ
２３．室外ファン
３１，３２，３３．配管
４０，１４０．遮熱体
４１，４２，１４１，１４２．給水配管
４３，１４３．タンク
４４．ポンプ
４５，１４５．遮熱シート
１４６．天板
１４７．フレーム
【図１】
2011252644.tif 000003
【図２】
2011252644.tif 000004
【図３】
2011252644.tif 000005